(57)【特許請求の範囲】
【請求項１】
ロール紙の巻き芯を保持するホルダ本体と、装着されたロール紙の外周面を覆うことで許容範囲を超えるロール紙の巻き解けを防止する巻き解け防止カバーとを備えるロール紙の保持装置であって、
それぞれ左右対称に形成される二組の前記ホルダ本体及び巻き解け防止カバーを備え、一方のホルダ本体がロール紙の巻き芯の一方の端部を保持し、他方のホルダ本体がロール紙の巻き芯の他方の端部を保持すると共に、一方の巻き解け防止カバーがロール紙の外周面の一方の端部を覆い、他方の巻き解け防止カバーがロール紙の外周面の他方の端部を覆うように配置可能であり、
前記巻き解け防止カバーの内周面はロール紙側へ向かって拡がるようにテーパ状に形成されていることを特徴とするロール紙の保持装置。
【請求項２】
請求項１において、前記二組のホルダ本体及び巻き解け防止カバーはロール紙に装着されることで全体として一体化されることを特徴とするロール紙の保持装置。
【請求項３】
請求項１または２において、前記ホルダ本体にはロール紙の巻き芯の端面に当接して前記二組のホルダ本体及び巻き解け防止カバーの相対位置を規定する度当てが形成されていることを特徴とするロール紙の保持装置。
【請求項４】
請求項１〜3のいずれか１項において、前記巻き解け防止カバーには、転がり防止台座が形成されていることを特徴とするロール紙の保持装置。
【請求項５】
請求項１〜４のいずれか１項において、前記ホルダ本体には巻き解け防止カバーを取り付けた状態において巻き解け防止カバーの端部閉塞部から外方に突出する操作ノブが一体的に形成されていることを特徴とするロール紙の保持装置。
【請求項６】
請求項１〜５のいずれか１項において、前記ホルダ本体には巻き解け防止カバーの軸受部によって遊嵌保持される胴部と、ロール紙の巻き芯の端部内周面を保持する挿入保持片とが形成されており、これら胴部と挿入保持片とはその一部が半径方向に一定の間隙を隔てて位置決めされており、前記間隙に巻き解け防止カバーの軸受部の一部が遊嵌状態に挿入可能であることを特徴とするロール紙の保持装置。
【請求項７】
請求項６において、前記度当てが前記挿入保持片の自由端側の端部に半径方向に突出するように形成されていることを特徴とするロール紙の保持装置。
【請求項８】
請求項１〜７のいずれか１項において、前記巻き解け防止カバーにはロール紙の保持装置を取り付けるべき記録装置における給紙部に形成された係合部あるいは後付けアタッチメントに形成されている係合部と係合可能な係合爪が形成されており、これらの係合部と係合爪との間には巻き解け防止カバーの取付位置を規制する左右誤装着防止機構が設けられていることを特徴とするロール紙の保持装置。
【請求項９】
請求項８において、前記係合爪は溝状に形成された前記係合部の保持作用部と係合して、実質的な保持作用を担う保持鉤部と、係合部の位置決めスリットと係合する位置決めリブとを備えており、前記位置決めスリットと位置決めリブとの係合状態は装着されたロール紙の軸心の多少の揺れや傾きを許容する程度に寛容に設定されていることを特徴とするロール紙の保持装置。
【請求項１０】
請求項１〜９のいずれか１項において、前記巻き解け防止カバーには装着されたロール紙を繰り出すための繰り出し開口部が形成されており、該繰り出し開口部の前方側端縁の高さはロール紙の巻き芯から繰り出される用紙の終端が通過する搬送経路直下の位置に設定されていることを特徴とするロール紙の保持装置。
【請求項１１】
請求項１〜１０のいずれか１項において、前記繰り出し開口部の後方側端縁の位置は装着されたロール紙の回転中心の直上部より幾分後方に退去した位置に設定されていることを特徴とするロール紙の保持装置。
【請求項１２】
請求項１〜１１のいずれか１項に記載されたロール紙の保持装置が装着されて使用される記録装置。
【請求項１３】
記録装置本体に着脱自在で且つ請求項１〜１１のいずれか１項に記載されたロール紙の保持装置が着脱可能に構成されて成るロール紙の保持装置を記録装置に装着する為の後付けアタッチメント。
【発明の詳細な説明】
【０００１】
【発明の属する技術分野】
本発明は、ロール紙対応のプリンタ等の記録装置におけるロール紙ホルダに係り、特にロール紙の巻き解けに伴う用紙トラブルを回避し、安定したロール紙の繰り出しを可能にするロール紙の保持装置に関する。
【０００２】
【従来の技術】
従来のロール紙の保持装置はロール紙の巻き芯の内径より小径のロッドを用い、このロッドをロール紙の巻き芯に通し、ロール紙が自由に遊転できる状態にロール紙を保持するという構成を採っていた。
【０００３】
しかし、ロール紙は常に一定の緊張状態を保って一定方向に繰り出されるというわけではなく、記録装置による印刷が終了した時点で印刷された用紙の終端部がカットされた後、カットされた新たな始端部が次の印刷に備えて印刷部位の直前に位置するように数ｃｍ戻されるといった構成が採られることが少なくない。
【０００４】
即ち、ロール紙は、繰り出されたり、戻されたりを常に繰り返しながら保持されており、使用が進むに連れてロール紙の外周側や内周側あるいは全体に亘って巻き解けが発生して成長し続ける。このような巻き解けが進むと用紙の送りに支障を来たしたり、ロール紙周辺に広いスペースを必要としたり、あるいはロール紙の印刷面が背後の壁等に接触して印刷面を汚してしまうなどの問題点があった。
【０００５】
またロール紙は円筒状であるため、ロール紙の巻き芯にロッドを通しただけの従来のロール紙の保持装置を机上に置いた場合には、転がって床に落下するおそれがあり、取り扱い上の不便もあった。
【０００６】
【発明が解決しようとする課題】
従って本発明の課題は、ロール紙の過剰な巻き解けを制限することにより、ロール紙周辺に広いスペースを必要とせず、印刷面の擦れによる汚れ等を防止でき、また取り扱いが容易で且つ用紙トラブルの少ない安定したロール紙の繰り出しが実現できるロール紙の保持装置を提供することにある。
【０００７】
【課題を解決するための手段】
上記課題を達成するため、請求項１に記載のロール紙の保持装置は、ロール紙の巻き芯を保持するホルダ本体と、装着されたロール紙の外周面を覆うことで許容範囲を超えるロール紙の巻き解けを防止する巻き解け防止カバーとを備えるロール紙の保持装置であって、それぞれ左右対称に形成される二組の前記ホルダ本体及び巻き解け防止カバーを備え、一方のホルダ本体がロール紙の巻き芯の一方の端部を保持し、他方のホルダ本体がロール紙の巻き芯の他方の端部を保持すると共に、一方の巻き解け防止カバーがロール紙の外周面の一方の端部を覆い、他方の巻き解け防止カバーがロール紙の外周面の他方の端部を覆うように配置可能であり、前記巻き解け防止カバーの内周面はロール紙側へ向かって拡がるようにテーパ状に形成されていることを特徴とするものである。
【０００８】
本発明によれば、用紙トラブルに結び付くような許容範囲を超える過大なロール紙の巻き解けの成長を回避できる。従って用紙表面が背後の壁等に触れて汚れたり傷付いたりすることが回避できる。また従来必要とされていたロール紙の巻き直し作業を省略することもできる。
本発明によれば、ロール紙の幅寸法が異なる場合でも、常に同一のホルダ本体及び巻き解け防止カバーを使用して対応することができ、ロール紙の装着、交換も容易となる。
本発明によれば、ロール紙の両端と巻き解け防止カバーの内周面との接触部分が線で接触するため摩擦が小さく、ロール紙の円滑な繰り出しが可能となる。またロール紙の巻き解けに伴って生ずるロール紙の巻き解け防止カバーに対する接触部位が少なくなるため、印刷面が傷付くおそれが少なくなる。更に巻き解け防止カバーの射出成形時に型抜きが容易となる。
【００１０】
また、請求項２に記載のロール紙の保持装置は、請求項１において、前記二組のホルダ本体及び巻き解け防止カバーはロール紙に装着されることで全体として一体化されることを特徴とするものである。本発明によれば、ロール紙及び保持装置の取り扱いが便利になって、ロール紙の装着、交換作業も容易となる。
【００１１】
また、請求項３に記載のロール紙の保持装置は、請求項１または２において、前記ホルダ本体にはロール紙の巻き芯の端面に当接して前記二組のホルダ本体及び巻き解け防止カバーの相対位置を規定する度当てが形成されていることを特徴とするものである。本発明によれば、ロール紙の幅寸法が異なる場合でもロール紙と保持装置との関係が常に一定に維持され、ロール紙の両端を常に確実に保持することができる。
【００１２】
また、請求項４に記載のロール紙の保持装置は、請求項１〜３のいずれか１項において、前記巻き解け防止カバーには転がり防止台座が形成されていることを特徴とするものである。本発明によれば、ロール紙の装着、交換作業を机の上で行う場合、ロール紙と一緒に保持装置が転がって床に落下してしまうことが回避できる。
【００１４】
また、請求項５に記載のロール紙の保持装置は、請求項１〜４のいずれか１項において、前記ホルダ本体には巻き解け防止カバーを取り付けた状態において巻き解け防止カバーの端部閉塞部から外方に突出する操作ノブが一体的に形成されていることを特徴とするものである。本発明によれば、ロール紙を直接手で触れなくても、ロール紙の巻き直し作業等を容易に行うことができる。
【００１５】
また、請求項６に記載のロール紙の保持装置は、請求項１〜５のいずれか１項において、前記ホルダ本体には巻き解け防止カバーの軸受部によって遊嵌保持される胴部と、ロール紙の巻き芯の端部内周面を保持する挿入保持片とが形成されており、これら胴部と挿入保持片とはその一部が半径方向に一定の間隙を隔てて位置決めされており、前記間隙に巻き解け防止カバーの軸受部の一部が遊嵌状態に挿入可能であることを特徴とするものである。
本発明によれば、ロール紙の保持装置の幅寸法をなるべくコンパクトに維持した状態で、巻き解け防止カバーの軸受部とホルダ本体の胴部との摺接面積を大きくとることができるため、ホルダ本体の支持、即ちロール紙の支持がより確実なものとなる。
【００１６】
また、請求項７に記載のロール紙の保持装置は、請求項６において、前記度当てが前記挿入保持片の自由端側の端部に半径方向に突出するように形成されていることを特徴とするものである。
本発明によれば、ロール紙の両側の端面が巻き解け防止カバーの端部閉塞部の内壁面に強く押し当てられてロール紙の回転が阻害されるような事態が防止でき、ホルダ本体とロール紙とは巻き解け防止カバーから何らの摩擦抵抗を受けることなく独立して回転することが可能となる。
【００１７】
また、請求項８に記載のロール紙の保持装置は、請求項１〜７のいずれか１項において、前記巻き解け防止カバーにはロール紙の保持装置を取り付けるべき記録装置における給紙部に形成された係合部あるいは後付けアタッチメントに形成されている係合部と係合可能な係合爪が形成されており、これらの係合部と係合爪との間には巻き解け防止カバーの取付位置を規制する左右誤装着防止機構が設けられていることを特徴とするものである。
本発明によれば、必然的に巻き解け防止カバーの取付位置が決まるから、誤装着が確実に防止できる。
【００１８】
また、請求項９に記載のロール紙の保持装置は、請求項８において、前記係合爪は溝状に形成された前記係合部の保持作用部と係合して、実質的な保持作用を担う保持鉤部と、係合部の位置決めスリットと係合する位置決めリブとを備えており、前記位置決めスリットと位置決めリブとの係合状態は装着されたロール紙の軸心の多少の揺れや傾きを許容する程度に寛容に設定されていることを特徴とするものである。
本発明によれば、保持装置に多少のガタを意図的に持たせることにより、排紙方向あるいは給紙方向への紙送りの際に生ずるロール紙の揺れや傾きによってロール紙の回転がロックされるようなことが回避でき、ロール紙の滑らかな繰り出しが保証される。
【００１９】
また、請求項１０に記載のロール紙の保持装置は、請求項１〜９のいずれか１項において、前記巻き解け防止カバーには装着されたロール紙を繰り出すための繰り出し開口部が形成されており、該繰り出し開口部の前方側端縁の高さはロール紙の巻き芯から繰り出される用紙の終端が通過する搬送経路直下の位置に設定されていることを特徴とするものである。
本発明によれば、記録装置側からの駆動を受けてロール紙が繰り出される際に、ロール紙の内周側において巻き解けが生じている場合に、巻き解けが生じている部位のロール紙も一緒に引っ張られて巻き解け防止カバーの前方側端縁との間で挟まれて、ロール紙がロックされた状態になるという事態が確実に回避できる。
【００２０】
また、請求項１１に記載のロール紙の保持装置は、請求項１〜１０のいずれか１項において、前記繰り出し開口部の後方側端縁の位置は装着されたロール紙の回転中心の直上部より幾分後方に退去した位置に設定されていることを特徴とするものである。
本発明によれば、印刷された用紙が印刷部終端の所定の位置でカットされ、ロール紙の保持装置側に所定の長さ戻されたときに生ずる用紙の撓み部を大きく取ることができるため、用紙の撓みが規制された場合に生ずる記録装置本体側または巻き解け防止カバーの後方側端縁との接触部位での用紙表面の傷の発生、紙折れ等を確実に防止できる。
【００２１】
また、請求項１２に記載の発明は、請求項１〜１１のいずれか１項に記載されたロール紙の保持装置が装着されて使用される記録装置である。本発明に係る記録装置によれば、請求項１〜１３のいずれか１項に記載されたロール紙の保持装置の作用効果が得られることによって、記録装置として使い勝手の良いものとなる。
【００２２】
また、請求項１３に記載の発明は、記録装置本体に着脱自在で且つ請求項１〜１１のいずれか１項に記載されたロール紙の保持装置が着脱可能に構成されて成るロール紙の保持装置を記録装置に装着する為の後付けアタッチメントである。本発明に係る後付けアタッチメントを用いることにより、前記ロール紙の保持装置を適用できる記録装置の範囲を新規設計製造のものに限定されず既設計のものにまで簡単に拡げることができる。
【００２３】
【発明の実施の形態】
以下、本発明の実施の形態を図面に基づいて説明する。図１は本発明に係るロール紙の保持装置を適用した記録装置の一例であるプリンタ１を示す。この例のプリンタ１は、全体が幅方向に長く延びるほぼドーム型をした形状のハウジング３を備え、該ハウジング３の後方側には自動給紙装置（オートシートフィーダ）からなる給紙部５が形成され、前方側には図示を省略する排紙部が形成されている。
【００２４】
給紙部５には給紙トレイ７が設けられており、その背面にはロール紙の保持装置１１を取り付けるための係合溝９が刻設されている。本発明のロール紙の保持装置１１は、一例としてこのような係合溝９を利用してプリンタ１に取り付けることができる。
【００２５】
図１〜５は本発明のロール紙の保持装置１１の第１の実施の形態を示す。本発明のロール紙の保持装置１１は、ロール紙Ｒの巻き芯Ｏを保持するホルダ本体１３と、装着されたロール紙Ｒの外周面の一部を覆うことでロール紙Ｒの許容範囲を超える巻き解けを防止する巻き解け防止カバー１５とを基本的に備えている。
【００２６】
ホルダ本体１３及び巻き解け防止カバー１５は、それぞれ左右対称のものが二組用意されており、これらでロール紙Ｒを両側から狭持することでロール紙の保持装置１１として一体化される構成になっている。
【００２７】
ホルダ本体１３は中空円筒状の部材であり、一方の端部にはロール紙Ｒの巻き芯Ｏの端部内周に挿入されることにより巻き芯Ｏを内側から保持する挿入保持片１７と、ロール紙Ｒの円滑な装着を可能にする案内リブ１９とが形成されている。またホルダ本体１３の中央には後述する巻き解け防止カバー１５の軸受部２１によって遊嵌保持される胴部２３が形成されており、他方の端部にはキャップ状の操作ノブ２５が一体的に形成されている。
【００２８】
挿入保持片１７は幾分円周方向に湾曲した矩形平板状の部材であり、その自由端側の一部は胴部２３の外周面から半径方向に一定の間隙Ｇを隔てて片持ち状態で支持されている。このような間隙Ｇを形成することにより、巻き解け防止カバー１５にホルダ本体１３を取り付ける際に、巻き解け防止カバー１５の軸受部２１とホルダ本体１３の胴部２３との重なり部分を多くすることができるので、ホルダ本体１３を巻き解け防止カバー１５にコンパクトな状態でよりしっかりと保持させることが可能となる。
【００２９】
また挿入保持片１７の自由端側の端部には半径方向外側に突出する度当て２７が形成されている。この度当て２７はロール紙Ｒの巻き芯Ｏの両端面に当接することにより、二組のホルダ本体１３及び巻き解け防止カバー１５の軸方向での距離を規定する機能を果たす。
【００３０】
案内リブ１９は板バネ状の弾性片２９の自由端側先端に形成されており、ロール紙Ｒの巻き芯Ｏへの挿入側には傾斜案内面３１が形成されている。胴部２３の操作ノブ２５側の周面には４個所にスリットが形成されており、該スリットの形成部位には巻き解け防止カバー１５との係合手段となる弾性係合片３３が形成されている。
【００３１】
巻き解け防止カバー１５は、ロール紙Ｒの幅方向端部の周面を覆う被覆部３５と、その外方の端面の一部を閉塞する円環状の端部閉塞部３７と、端部閉塞部３７の内径端縁から内側に向けて張り出すように形成される円筒状の軸受部２１と、被覆部３５の前面側下方に一例として形成される転がり防止台座３９とを備えて成る。
【００３２】
被覆部３５の前面側上方の部位は一部切除されており、この部分は装着されたロール紙Ｒを繰り出すための繰り出し開口部４１となっている。また被覆部３５の内周面はロール紙側へ向かって拡がるようにテーパ状に形成されており、これによりロール紙Ｒの端縁と被覆部３５の内面とが線接触して、ロール紙回転時の摩擦抵抗が極力小さくなるようにしている。
【００３３】
端部閉塞部３７の内径端縁付近には、ホルダ本体１３における弾性係合片３３と係合する係合段差部４３が形成されており、弾性係合片３３と係合段差部４３との係合により巻き解け防止カバー１５の外側方向への移動が制限されるようになっている。一方巻き解け防止カバー１５の内側方向への移動は、軸受部２１の内向きの端面と挿入保持片１７の外向きの端面との当接によって制限されている。
【００３４】
また軸受部２１の内径はホルダ本体１３における胴部２３の外径より幾分大きめに設定されており、これによりロール紙Ｒの軸心の多少の揺れや傾きを許容してロール紙の送り出しを滑らかに行えるようにする作用と、ホルダ本体１３と巻き解け防止カバー１５との結合を容易にする作用を併せ持つ。尚、ホルダ本体１３と巻き解け防止カバー１５の材料は共に同じ材料、例えば硬質のプラスチック材料が適用できる。この場合、摩擦係数が同じであるため、軸受部２１に摺接する胴部２３の回転は安定性を増すようになる。
【００３５】
転がり防止台座３９は被覆部３５に形成されている繰り出し開口部４１の下方から斜め下方に延びる取付傾斜面４５と、この取付傾斜面４５の下端と被覆部３５の最下部とを水平に連結する実質的な転がり防止作用をする台座面４７とを備えることにより構成されている。また取付傾斜面４５には、プリンタ１における前記係合溝９、あるいはこのような係合溝９を有さないタイプのプリンタ１に取り付ける場合に使用する図５に示すような後付けアタッチメント４９に形成されている係合溝５１に係合し保持される係合爪５３が形成されている。ここで、後付けアタッチメント４９は、オートシートフィーダに係合溝９が設けられていないタイプのプリンタに対しても、例えばペーパーサポート取付用の被取付部を利用して当該後付けアタッチメント４９を取り付けられるように構成し、これにより、前記係合溝９が無いタイプのプリンタにも当該ロール紙の保持装置１１を適用できるするためのものである。
【００３６】
これらの係合溝９、５１と係合爪５３との間には巻き解け防止カバー１５の取付位置を規制する左右誤装着防止機構が設けられている。即ち係合溝９、５１における実質的な保持作用を行う保持作用部５５に形成される位置決めスリット５７の位置と、係合爪５３における保持鉤部５９から垂直に立ち上がる位置決めリブ６１の位置とを左右対称とせず、幾分左右いずれかに偏った位置に設定することにより、誤って左右を反対にして装着しようとした場合でも装着できないようになっている。
【００３７】
また図５に示す如く、位置決めスリット５７は位置決めリブ６１を受け入れる入口側において広く、奥部側において狭くなるように形成されており、これにより両者の係合状態は比較的寛容となり、ロール紙Ｒの軸心の多少の揺れや傾きを許容してロール紙が滑らかに回転して繰り出されることを確実にしている。
【００３８】
以上が本発明の第１の実施の形態の構成であるがロール紙の種類、使用条件等によっては稀に以下のような問題が生ずる可能性もある。
即ち図６（ａ）に示す如く、ロール紙Ｒから繰り出される最外周に位置する用紙Ｐが、その内周において巻き解けが進行して外方に張り出している弛み部Ａを伴って引き出してしまう可能性がある。このようにして引き出された弛み部Ａは最外周の用紙Ｐと繰り出し開口部４１における前方側端縁６３との間に挟まれてしまい、ロール紙Ｒは用紙Ｐを繰り出せないロック状態に陥ることが予想される。このような状態は図示のようにロール紙Ｒの繰り出しが進んで用紙終端近くになったところで多く発生し、「芯解け」と呼ばれる現象、即ち巻き芯Ｏ付近での巻き解けが起きたときに生ずるおそれがある。
【００３９】
また図６（ｂ）に示す如く、プリンタ１での印刷終了後、用紙Ｐの印刷部終端を所定の位置でカットして所定の長さ用紙Ｐを戻すときにできる撓み部Ｂが大きくなり、プリンタ１の本体側または巻き解け防止カバー１５における繰り出し開口部４１の後方側端縁６５に用紙Ｐが接触してしまい、用紙Ｐの表面に傷が付いたり、表面が汚れたりする危険性がある。
【００４０】
そこでこのように稀に起こり得る現象も回避し、ロール紙Ｒのより一層の安定、確実な繰り出しを可能にするために案出されたのが図７、８に示す本発明のロール紙の保持装置１１の第２の実施の形態である。尚、基本的な構成は図１〜５に示す第１の実施の形態と同様であるので、その部分の説明は省略し、ここでは第２の実施の形態の特徴的部分のみ言及する。
【００４１】
先ず上記図６（ａ）に示す現象を確実に回避する構成として、図７、図８に示す如く、繰り出し開口部４１の前方側端縁６３の高さを第１の実施の形態より高くし、ロール紙Ｒの巻き芯Ｏから直接繰り出される用紙Ｐの終端が通る搬送経路Ｌの直下に前方側端縁６３が位置するようにした。このように設定することにより、ロール紙Ｒの繰り出しに何らの影響を与えることなく、巻き解けに伴って生ずる弛み部Ａの弛み量を小さくすることができるため、図６（ａ）に示すようなロック状態を確実に回避することができる。
【００４２】
次に上記図６（ｂ）に示す現象を確実に回避する構成として、図７、図８に示す如く、繰り出し開口部４１の後方側端縁６５の位置を装着したロール紙Ｒの回転中心の直上部より幾分後方に退去した位置に設定した。このように設定することより、用紙Ｐを戻すときにできる撓み部Ｂが大きくとれるようになり、用紙Ｐがプリンタ１の本体側や巻き解け防止カバー１５における繰り出し開口部４１の後方側端縁６５に過度に接触するような事態を確実に回避することができる。
【００４３】
尚、図７に示す如く、本発明の第２の実施の形態では後方側端縁６５を斜めに形成することで被覆部３５による被覆作用を減ずることなく、加えて上記自由な撓み部Ｂの形成を可能にするという二つの要求を満足し、最大限の効果を発揮し得る。
【００４４】
次に本発明のロール紙の保持装置１１へのロール紙Ｒの装着、プリンタ１への取り付けの手順及びプリンタ１が稼動している状態での用紙Ｐの搬送状態について説明する。
【００４５】
本発明のロール紙の保持装置１１にロール紙Ｒを装着する場合には予め左右のホルダ本体１３を巻き解け防止カバー１５にそれぞれ取り付けておき、操作ノブ２５が巻き解け防止カバー１５の端部閉塞部３７から突出した状態にしておく。次にロール紙Ｒの巻き芯Ｏの端面が度当て２７に当接するまでホルダ本体１３を、案内リブ１９の傾斜案内面３１に沿ってロール紙Ｒの巻き芯Ｏ内に圧入する。
【００４６】
ロール紙Ｒの巻き芯Ｏの他方の端面についても同様にしてホルダ本体１３及び巻き解け防止カバー１５を取り付ければ、本発明のロール紙の保持装置１１の組み付けは完了する。尚、この状態において、巻き解け防止カバー１５には転がり防止台座３９が設けられているから、転がって机の上から床に落下してしまうというようなことはない。
【００４７】
次に巻き解け防止カバー１５に形成された係合爪５３を、プリンタ１のオートシートフィーダの係合溝９または後付けアタッチメント４９の係合溝５１に係合すれば、ロール紙の保持装置１１のプリンタ１への取り付けは完了する。そしてロール紙Ｒの始端側をプリンタ１の給紙部５に導くことにより、一連のロール紙の保持装置１１のセッティングは完了し、プリンタ１は稼動可能な状態となる。
【００４８】
プリンタ１が稼動すると、装着されたロール紙Ｒは徐々にロール紙の保持装置１１から繰り出されて印刷が開始される。一枚分の印刷が終了した時点で用紙Ｐの印刷部終端がカットされ、次の印刷に備えてカットされたロール紙Ｒの先端が所定の位置に来るまで引き戻される。この時プリンタ１の給紙部５とロール紙Ｒの繰り出し基端部との間には撓み部Ｂが形成された状態となり、この状態から次のロール紙Ｒの繰り出しが始まることになる。
【００４９】
本発明では、このようなロール紙Ｒの繰り出し、後退によってロール紙Ｒに巻き解けが生じても、巻き解け防止カバー１５の作用によって用紙トラブルが生ずるような過大な巻き解けには成長しない。またロール紙Ｒの巻き直しを行いたい場合にはロール紙Ｒを何ら触れることなく操作ノブ２５を巻き戻し側に回すだけでよい。
【００５０】
次に、後付けアタッチメントについて、図５に示した実施の形態と異なる他の実施形態を図９及び図１０に基づいて説明する。図９は本実施の形態に係る後付けアタッチメントを用いてロール紙保持装置がプリンタに装着されている状態の斜視図であり、図１０はプリンタから後付けアタッチメントを外した状態の取り外し斜視図である。
【００５１】
本実施の形態に係る後付けアタッチメント８０は、プリンタ１の本体であるハウジング３に着脱自在で且つロール紙の保持装置を構成する前記巻き解け防止カバー１５に形成された係合爪５３が着脱可能に係合する係合溝５１有する。以上の点は図５に示した実施の形態と同じであるが、当該後付けアタッチメント８０は、前記係合溝５１が設けられている水平部８６の両端部に、図１０に示したように、同形状の脚部８２，８２が対を成して設けられ、該脚部８２，８２の前記ハウジング３との対向面に係止部８１，８１がそれぞれ設けられている。
【００５２】
前記両脚部８２，８２は、図９に示したように、両脚部間にペーパーサポート７０が収まると共に該アタッチメント８０をハウジング３に装着したままペーパーサポート７０の着脱が上方から可能となる形状及び寸法に形成されている。即ち当該後付アタッチメント８０を前記ハウジング３に装着した状態で、前記水平部８６のハウジング３との対向面８３と両脚部８２，８２とで作られるスペースが、前記ペーパーサポート７０をハウジング３に対して着脱する為の操作用開口部を形成するようになっている。
【００５３】
図１０に示したように、ハウジング３には、前記脚部８２，８２の係止部８１，８１が係止して保持される係止溝９０，９０が、ペーパーサポート７０の両側となる位置にそれぞれ設けられている。この係止溝９０，９０に前記脚部８２，８２の係止部８１，８１が係止することで、図９に示した如く、上方から下方に差し込むようにして当該後付けアタッチメント８０がプリンタ本体に装着されるようになっている。外すときは図９の状態から上方に引き抜くようにして外す。
【００５４】
図１０に示した当該後付けアタッチメント８０の作用効果を、図５に示した後付けアタッチメント４９と対比しつつ説明する。先ず両後付けアタッチメント４９，８０も、前記ロール紙の保持装置を適用できる記録装置の範囲を新規設計製造のものに限定されず既設計のものにまで簡単に拡げることができる。次に、図５に示した後付けアタッチメント４９は、ペーパーサポート７０取付用の被取付部を利用してプリンタ本体に取り付ける構造のものであるため、ペーパーサポート７０を使用するときは、当該後付けアタッチメント４９を、プリンタ本体から一々外さなければならなかった。それに対して、当該後付けアタッチメント８０は、該アタッチメント８０をハウジング３に装着したままペーパーサポート７０の着脱が上方から可能であるため、使い勝手が良い。
【００５５】
【発明の効果】
本発明によれば、用紙トラブルに結び付くような許容範囲を超える過大なロール紙の巻き解けの成長を防止でき、ロール紙の安定した繰り出しを行うことができる。また左右に分割できる構成としたことによりロール紙の装着、交換作業も容易となる。
【図面の簡単な説明】
【図１】本発明の第１の実施の形態に係るロール紙の保持装置をプリンタに取り付ける直前の様子を示す斜視図である。
【図２】本発明の第１の実施の形態に係るロール紙の保持装置を示す分解斜視図である。
【図３】本発明の第１の実施の形態に係るロール紙の保持装置を示す側面図である。
【図４】本発明の第１の実施の形態に係るロール紙の保持装置を示す縦断正面図である。
【図５】本発明の第１の実施の形態に係るロール紙の保持装置を後付けアタッチメントに取り付ける様子を示す斜視図である。
【図６】ロール紙の巻き解けに伴う問題点を示す骨格的側面図である。
【図７】本発明の第２の実施の形態に係るロール紙の保持装置を示す分解斜視図である。
【図８】本発明の第２の実施の形態に係るロール紙の保持装置を示す縦断側面図である。
【図９】一実施の形態に係る後付けアタッチメントを用いてロール紙保持装置がプリンタに装着されている状態の斜視図である。
【図１０】プリンタから後付けアタッチメントを外した状態の取り外し斜視図である。
【符号の説明】
１    プリンタ
３    ハウジング
９    係合溝
１１    ロール紙の保持装置
１３    ホルダ本体
１５    巻き解け防止カバー
１７    挿入保持片
１９    案内リブ
２１    軸受部
２３    胴部
２５    操作ノブ
２７    度当て
２９    弾性片
３１    傾斜案内面
３３    弾性係合片
３５    被覆部
３７    端部閉塞部
３９    転がり防止台座
４１    繰り出し開口部
４３    係合段差部
４５    取付傾斜面
４７    台座面
４９    後付けアタッチメント
５１    係合溝
５３    係合爪
５５    保持作用部
５７    位置決めスリット
５９    保持鉤部
６１    位置決めリブ
６３    前方側端縁
６５    後方側端縁
７０  ペーパーサポート
８０  後付けアタッチメント
８１  係止部
８２  脚部
９０  係止溝
Ｒ    ロール紙
Ｏ    巻き芯
Ｇ    間隙
Ｐ    用紙
Ａ    弛み部
Ｂ    撓み部
Ｌ    搬送経路
【図１】
0003867767.tif 000002
【図２】
0003867767.tif 000003
【図３】
0003867767.tif 000004
【図４】
0003867767.tif 000005
【図５】
0003867767.tif 000006
【図６】
0003867767.tif 000007
【図７】
0003867767.tif 000008
【図８】
0003867767.tif 000009
【図９】
0003867767.tif 000010
【図１０】
0003867767.tif 000011